(57)【特許請求の範囲】
【請求項１】
通信回線を介して接続され、１または２以上の機能を備える情報端末を管理対象としてメモリに登録する情報端末管理装置であって、
装置周辺に存在する情報端末を検出する検出手段と、
前記検出手段で検出された情報端末が前記メモリに登録されていないとき、前記検出された情報端末が有する機能情報に基づいて、当該情報端末が複数の機能を備えているか否かを判定する判定手段と、
前記情報端末が複数の機能を備えていることを前記判定手段が判定した場合に、前記検出された情報端末を、その情報端末が有する複数の機能に対応して前記メモリに設定された機能別リストに、それぞれ、前記管理対象の情報端末として登録する登録手段とを備えることを特徴とする情報端末管理装置。
【請求項２】
請求項１に記載の情報端末管理装置において、
前記検出された情報端末がオーディオ機能および携帯電話機能を有するとき、前記登録手段は、前記メモリに設定されたオーディオ機能用登録リストと携帯電話機能用登録リストの双方に、前記検出された情報端末を登録することを特徴とする情報端末管理装置。
【請求項３】
請求項１または２に記載の情報端末管理装置において、
前記情報端末は、当該情報端末が有する機能を示す前記機能情報と、当該情報端末を特定する端末名称とを含み、
前記複数の機能別リストのそれぞれには、前記端末名称が前記管理対象として登録されることを特徴とする情報端末管理装置。
【請求項４】
請求項３に記載の情報端末管理装置において、
前記端末名称を変更する名称変更手段をさらに有することを特徴とする情報端末管理装置。
【請求項５】
請求項１乃至４のいずれか１項に記載の情報端末管理装置において、
前記情報端末の登録を指示する指示手段をさらに備え、
前記検出手段で未登録の情報端末が検出され、前記指示手段で前記情報端末の登録が指示され、かつ、前記検出された情報端末が複数の機能を含むと前記判定手段で判定されたときは、前記登録手段により、前記検出された情報端末が前記複数の機能別リストに管理対象として登録されることを特徴とする情報端末管理装置。
【請求項６】
請求項１乃至５のいずれか１項に記載の機能ごとに分類した情報端末のリストを表示することを特徴とする表示装置。
【請求項７】
通信回線を介して接続され、１または２以上の機能を備える情報端末を管理対象としてメモリに登録する情報端末管理方法であって、
装置周辺に存在する情報端末を検出する検出し、
前記検出された情報端末が前記メモリに登録されていないとき、前記検出された情報端末が有する機能情報に基づいて、当該情報端末が複数の機能を備えているか否かを判定する判定し、
前記情報端末が複数の機能を備えていると判定した場合に、前記検出された情報端末を、その情報端末が有する複数の機能に対応して前記メモリに設定された機能別リストに、それぞれ、前記管理対象の情報端末として登録する登録工程とを備えることを特徴とする情報端末管理方法。
【発明の詳細な説明】
【技術分野】
【０００１】
本発明は、無線接続される情報端末を管理するための情報端末管理装置、管理対象の情報端末をリスト表示する表示装置、および情報端末管理方法に関する。
【背景技術】
【０００２】
次のようなハンズフリー通話システムが特許文献１によって知られている。このハンズフリー通話システムによれば、あらかじめ登録した複数の携帯電話をモニタにリスト表示し、リスト内から使用者によって選択された携帯電話を使用してハンズフリー通話を行うことができる。また、近年の携帯電話には、音楽再生機能を備えるものもあり、このような音楽再生機能付き携帯電話を使用してハンズフリー通話を行うこともできる。
【０００３】
【特許文献１】特開２００３−１７４６７６号公報
【発明の開示】
【発明が解決しようとする課題】
【０００４】
しかしながら、従来のハンズフリー通話システムにおいては、選択対象の複数の携帯電話をあらかじめ登録しておく必要があった。このため、近年の音楽再生機能を有する携帯電話を車内に持ち込んで携帯電話、および音楽再生装置として使用する場合には、使用者はこの携帯電話を携帯電話、および音楽再生装置のそれぞれとしてあらかじめ登録しなければならず、操作が面倒になる可能性があるという問題が生じていた。
【課題を解決するための手段】
【０００５】
請求項１の発明は、通信回線を介して接続され、１または２以上の機能を備える情報端末を管理対象としてメモリに登録する情報端末管理装置であって、装置周辺に存在する情報端末を検出する検出手段と、前記検出手段で検出された情報端末が前記メモリに登録されていないとき、前記検出された情報端末が有する機能情報に基づいて、当該情報端末が複数の機能を備えているか否かを判定する判定手段と、前記情報端末が複数の機能を備えていることを前記判定手段が判定した場合に、前記検出された情報端末を、その情報端末が有する複数の機能に対応して前記メモリに設定された機能別リストに、それぞれ、前記管理対象の情報端末として登録する登録手段とを備えることを特徴とするものである。
また、請求項７の発明は、通信回線を介して接続され、１または２以上の機能を備える情報端末を管理対象としてメモリに登録する情報端末管理方法であって、装置周辺に存在する情報端末を検出し、前記検出された情報端末が前記メモリに登録されていないとき、前記検出された情報端末が有する機能情報に基づいて、当該情報端末が複数の機能を備えているか否かを判定し、前記情報端末が複数の機能を備えていると判定した場合に、前記検出された情報端末を、その情報端末が有する複数の機能に対応して前記メモリに設定された機能別リストに、それぞれ、前記管理対象の情報端末として登録することを特徴とするものである。
【発明の効果】
【０００６】
本発明によれば、接続される情報端末が複数の機能を備えている場合には、情報端末をそれぞれの機能ごとに管理対象として登録するようにした。これによって、使用者は各情報端末が備える機能ごとに個別に登録を行う必要がなく、使用者の作業負荷を低減することができる。
【発明を実施するための最良の形態】
【０００７】
―第１の実施の形態―
第１の実施の形態における情報端末管理装置では、無線通信可能な範囲に存在する各種情報端末を検出し、検出した情報端末が備える機能ごとに分類してリスト化して、これらの情報端末を管理対象として管理する。そして、機能ごとの端末登録リストを使用者に提示し、リスト内から使用者によって選択された情報端末と無線通信を開始して、データの送受信を行う。
【０００８】
図１は、第１の実施の形態における情報端末管理装置の適用例を示す図である。図１（ａ）に示すように、情報端末管理装置１００は、例えば車両に搭載されたカーナビに搭載され、無線通信、例えばＢｌｕｅｔｏｏｔｈ（登録商標）通信により、種々の情報端末、例えばポータブルオーディオ２００や携帯電話３００と通信することができる。なお、情報端末管理装置１００は、図１（ｂ）に示すように、パソコン（ＰＣ）などのその他の情報機器に搭載するようにしてもよい。
【０００９】
ポータブルオーディオ２００は、例えばＨＤＤオーディオやＦｌａｓｈオーディオであり、内蔵メモリに記憶した音楽データ、例えばＭＰ３データを再生することができる。携帯電話３００には、通常の携帯電話のほかに音楽再生機能付きの携帯電話も含み、音声通話機能のみを備える携帯電話、あるいは、音声通話機能に加えて音楽再生機能も有している携帯電話のいずれかが無線接続される。すなわち複数の機能を備える携帯電話３００が無線接続される場合がある。
【００１０】
情報端末管理装置１００は、無線接続されたポータブルオーディオ２００で音楽が再生された場合には、無線通信を介して音楽データを受信し、再生されている音楽を車内のスピーカを介して出力する。また、携帯電話３００の音声通話機能を使用して、携帯電話３００ハンズフリー電話機として使用することができ、さらに接続された携帯電話３００が音楽再生機能付きの携帯電話機であれば、上述したポータブルオーディオの場合と同様に、携帯電話３００で再生された音楽を車内のスピーカを介して出力することもできる。
【００１１】
図２は、第１の実施の形態における情報端末管理装置の一実施の形態の構成を示すブロック図である。情報端末管理装置１００は、使用者によって操作される入力スイッチ１０１と、携帯電話３００を使用したハンズフリー通話を行うときに、使用者の発話を入力するマイク１０２と、ポータブルオーディオ２００や携帯電話３００など外部情報端末と無線通信を行うための通信インターフェース１０３、例えばＢｌｕｅｔｏｏｔｈモジュールと、ＣＰＵ、メモリ、およびその他周辺回路で構成され、後述する各種処理を実行する制御装置１０４と、各種メニュー画面や後述する端末登録リストを表示するためのモニタ１０５と、ポータブルオーディオ２００や携帯電話３００で再生された音楽、および携帯電話３００を使用したハンズフリー通話を行うときに、通話相手の音声を出力するスピーカ１０６とを備えている。
【００１２】
制御装置１０４は、情報端末検出部１０４ａと、リスト登録部１０４ｂと、通信制御部１０４ｃとを有している。
【００１３】
情報端末検出部１０４ａは、使用者によって入力スイッチ１０１が操作され、無線通信可能な情報端末を新規に管理対象として登録するよう指示されると、通信インターフェース１０３を介して無線通信可能な範囲内に存在する後述する端末登録リストに未登録の情報端末を検出する。なお、各情報端末はそれぞれを一意に識別するための端末ＩＤ、情報端末の名称、およびその端末が有する機能を示す機能情報を端末データとして有しており、情報検出部１０４ａは、通信可能範囲内に存在する情報端末からこの端末データを取得する。そして、取得した端末データに含まれる端末ＩＤが端末登録リストに登録済みの情報端末の端末ＩＤと一致するか否かを判定して、無線通信可能な範囲内に存在する情報端末が端末登録リストに未登録か否かを判断する。
【００１４】
情報端末検出部１０４ａによって端末登録リストに未登録の情報端末が検出されると、リスト登録部１０４ｂは、上述した処理で情報端末から取得した端末データに含まれる機能情報に基づいて、その情報端末の端末名称を、情報端末が備える機能ごとに端末登録リストに登録する。例えば、検出された未登録の情報端末がＨＤＤオーディオである場合には、情報端末名称として「ＨＤＤオーディオ」を取得でき、機能情報として「オーディオ」を取得できることから、例えば図３（ｂ）に示すＢｌｕｅｔｏｏｔｈオーディオ登録リストに「ＨＤＤオーディオ」３ａが登録される。
【００１５】
また、情報端末検出部１０４ａで検出された未登録の情報端末が音楽再生機能付き携帯電話である場合には、情報端末名称として「携帯電話」を取得でき、機能情報として「携帯電話」および「オーディオ」を取得できる。なお、第１の実施の形態における端末登録リストでは、その端末名称を使用者が変更することができ、例えば検出した音楽再生機能付き携帯電話を「父の携帯電話」という名前で登録することができる。その結果、例えば図３（ａ）に示すＢｌｕｅｔｏｏｔｈ携帯電話登録リスト、および図３（ｂ）に示すＢｌｕｅｔｏｏｔｈオーディオ登録リストのそれぞれに「父の携帯電話」３ｂおよび３ｃが登録される。
【００１６】
なお、図３に示す端末登録リストは、各機能ごとに最大５件の情報端末を登録できる例を示しているが、これに限定されず、６件以上の一定数の情報端末を登録できるようにしてもよく、登録できる情報端末数を無制限にしてもよい。
【００１７】
図４は、上述した処理によって情報端末を端末登録リストに登録する過程でモニタ１０５に表示される画面遷移の具体例を示す図である。まず、使用者は、図４（ａ）に示す画面で、入力スイッチ１０１を操作して「機器登録」ボタン４ａを選択して未登録情報端末の登録を指示する。使用者によって「機器登録」ボタン４ａが選択され、情報端末検出部１０４ａによる情報端末の検出が開始されると、図４（ｂ）に示すガイダンス画面を表示して、現在情報端末の検索中である旨のガイダンスを表示する。
【００１８】
その後、情報端末検出部１０４ａによる情報端末の検索が完了し、上述した未登録の情報端末が検出されると、図４（ｃ）に示すように、その情報端末の端末名称を表示して、使用者に検出結果を通知する。なお、この図４（ｃ）の表示例は、例えば上述したような携帯電話機能とオーディオ機能を備えた音楽再生機能付き携帯電話が検出された場合を表している。また、端末名称の表示と同時に、新たな情報端末を登録する際に必要となるパスキーの入力を促す。
【００１９】
使用者によって、入力スイッチ１０１が操作されてパスキーが入力されると、リスト登録部１０４ｂは、上述したように、情報端末から取得した端末データに含まれる機能情報に基づいて、その情報端末の端末名称を機能ごとに分類して端末登録リストに登録する。同時に、図４（ｄ）に示す登録完了を通知するメッセージをモニタ１０５に表示する。
【００２０】
以上説明した処理によって情報端末の機能ごとに分類されて作成された端末登録リストは、制御装置１０４が有するメモリ内に記憶され、使用者によって情報端末との無線通信を開始する指示があった場合には、通信制御部１０４ｃは、それぞれの機能別に分類した端末登録リスト（機能別端末登録リスト）をモニタ１０５に表示する。そして、使用者によって、いずれかの機能に対応した端末登録リストから情報端末が選択された場合には、その情報端末と無線通信を開始してデータを受信し、選択された機能に応じた処理を実行する。
【００２１】
例えば、Ｂｌｕｅｔｏｏｔｈ携帯電話登録リストに登録されている「父の携帯電話」３ｂが選択された場合には、「父の携帯電話」３ｂと通信を開始して、ハンズフリー通話機能を実行する。すなわち、マイク１０２を介して入力された音声データを「父の携帯電話」３ｂへ出力し、「父の携帯電話」３ｂから受信した通話相手の音声をスピーカ１０６を介して出力する。
【００２２】
また、Ｂｌｕｅｔｏｏｔｈオーディオ登録リストに登録されている「父の携帯電話」３ｃが選択された場合には、「父の携帯電話」３ｂと通信を開始して、「父の携帯電話」３ｃで再生されている音楽データを受信して、スピーカ１０６を介して出力する。
【００２３】
このように、検出した情報端末の機能情報に応じて、自動的に機能別に分類した端末登録リストに登録するようにしたため、使用者は各情報端末がどのような機能を備えているかを意識して各端末情報を個別に登録リストに追加する必要がなくなり、使用者の作業負荷を低減することができる。また、使用者は情報端末が備える機能ごとに表示される端末登録リストから無線通信を開始する端末を選択することができ、選択したい情報端末を容易に探すことができるようになる。さらに、使用者がいずれかの機能に分類された端末登録リストから情報端末を選択した場合に、選択した機能に応じた処理を自動的に行うようにしたため、使用者の利便性を向上することができる。
【００２４】
図５は、第１の実施の形態における情報端末管理装置１００の処理を示すフローチャートである。図５に示す処理は、情報端末管理装置１００の電源がオンされると起動するプログラムとして、制御装置１０４によって実行される。
【００２５】
ステップＳ１０において、情報端末検出部１０４ａは、使用者によって入力スイッチ１０１が操作され、情報端末の登録が指示されたか否かを判断し、登録が指示されたと判断した場合には、ステップＳ２０へ進む。ステップＳ２０では、情報端末検出部１０４ａは、上述したように端末登録リストに未登録の情報端末を検索して、ステップＳ３０へ進む。ステップＳ３０では、情報端末検出部１０４ａは、未登録の情報端末が検出されたか否かを判断する。未登録の情報端末が検出されていないと判断した場合には、後述するステップＳ６０へ進む。これに対して未登録の情報端末が検出されたと判断した場合には、ステップＳ４０へ進む。
【００２６】
ステップＳ４０では、上述したように、リスト登録部１０４ｂは、端末データに含まれる機能情報に基づいて、その情報端末が備える機能を判定して、ステップＳ５０へ進む。ステップＳ５０では、リスト登録部１０４ｂは、判定した機能に基づいて、検出した情報端末を機能別に分類した端末登録リストに登録する。その後、ステップＳ６０へ進み、通信制御部１０４ｃは、モニタ１０５に表示した機能別に分類した端末登録リストの中から、使用者によっていずれかの情報端末が選択されたか否かを判断する。いずれの情報端末も選択されていないと判断した場合には、後述するステップＳ９０へ進む。一方、いずれかの情報端末が選択されたと判断した場合には、ステップＳ７０へ進む。
【００２７】
ステップＳ７０では、通信制御部１０４ｃは、使用者によって選択された情報端末と、通信インターフェース１０３を介して無線通信を開始して、ステップＳ８０へ進む。ステップＳ８０では、上述したように、使用者によって選択された端末登録リストが対応する機能に応じた処理を実行して、ステップＳ９０へ進む。ステップＳ９０では、情報端末管理装置１００の電源がオフされたか否かを判断する。電源がオフされていないと判断した場合には、ステップＳ１０へ戻って処理を繰り返す。これに対して、電源がオフされたと判断した場合には、処理を終了する。
【００２８】
以上説明した第１の実施の形態によれば、以下のような作用効果を得ることができる。
（１）未登録の情報端末を検出した場合には、検出した情報端末の機能情報に基づいて、機能別に分類した端末登録リストに登録するようにした。これによって、使用者は各情報端末がどのような機能を備えているか意識して、各情報端末を個別に登録リストに登録する必要がなく、使用者の作業負荷を低減することができる。
【００２９】
（２）機能別に分類した端末登録リストをモニタ１０５に表示し、使用者は表示されたリストの中から任意の情報端末を選択して無線接続を指示できるようにした。これによって、使用者は、機能別に表示された情報端末のリストの中から選択したい情報端末を容易に探すことができるようになる。
【００３０】
（３）使用者がいずれかの機能に分類された端末登録リストから情報端末を選択した場合に、選択した機能に応じた処理を自動的に行うようにした。これによって、使用者がリストから情報端末を選択するだけで、種々の処理を自動で行うため、使用者の利便性を向上することができる
【００３１】
―第２の実施の形態―
上述した第１の実施の形態では、無線通信可能な範囲に存在する情報端末の検出を行い、未登録の情報端末を検出した場合に、検出した情報端末の端末データに含まれる機能情報に基づいて、情報端末が備える全ての機能について一括して端末登録リストに登録する場合について説明した。これに対して第２の実施の形態では、情報端末を端末登録リストに登録するための登録メニューを各機能ごとに用意し、使用者は機能ごとの登録メニューを呼び出して情報端末を端末登録リストへ登録する場合について説明する。
【００３２】
なお、図１に示した情報端末管理装置の適用例を示す図、図２に示した情報端末管理装置１００のブロック図、および図３に示した端末登録リストの具体例を示す図については、第１の実施の形態と同様のため説明を省略する。
【００３３】
従来、情報端末を登録メニューを用いて機能ごとに端末登録リストへ登録する場合には、一般的に図６に示すような登録シーケンスにより処理を行っていた。図６に示す登録シーケンスは、無線通信（Ｂｌｕｅｔｏｏｔｈ通信）可能な情報端末がオーディオ機能とハンズフリー通話機能（携帯電話機能）とを備える携帯電話３００である場合に、使用者がオーディオ機能の登録を指示した場合を示している。なお、図６（ａ）は、情報端末管理装置１００側の登録シーケンスを示し、図６（ｂ）は、携帯電話３００側の登録シーケンスを示している。
【００３４】
情報端末管理装置１００は、ステップＳ１００１で、使用者による操作に基づいてオーディオ機能の登録を開始する。すなわち、使用者によって情報端末管理装置１００上で入力スイッチ１０１が操作され、モニタ１０５上にオーディオ機能用の登録メニューが呼び出された後、当該登録メニュー上でオーディオ機能の登録開始が指示されると、図６（ａ）に示す登録シーケンスが開始する。ステップＳ１００２では、情報端末管理装置１００は、携帯電話３００からの接続待ち状態となる。
【００３５】
携帯電話３００側では、ステップＳ２００１において、使用者による操作に基づいて、携帯電話３００自身が備えるオーディ機能の情報端末管理装置１００への登録を開始する。すなわち、使用者によって、携帯電話３００上でオーディオ機能用の登録メニューが呼び出され、当該登録メニュー上でオーディオ機能の登録開始が指示されると、図６（ｂ）に示す登録シーケンスが開始する。そして、携帯電話３００は、ステップＳ２００２で通信可能範囲に存在する機器を検索し、その検索結果を画面上に表示する。このとき、通信可能範囲に複数の機器が存在する場合には、全ての機器を一覧表示する。
【００３６】
その結果、使用者によって一覧表示した機器の中から情報端末管理装置１００が選択されると、ステップＳ２００３で情報端末管理装置１００に対する接続を実行する。ステップＳ２００４では、携帯電話３００は、使用者に対してパスキーの入力を求め、使用者によってパスキーが入力されると、ステップＳ２００５で情報端末管理装置１００にパスキー交換を要求する。情報端末管理装置１００では、この要求に応じてステップＳ１００３で携帯電話３００とパスキーの交換を行う。パスキーの交換を行った結果、認証が完了すると両者の接続が確立する。
【００３７】
そして、情報端末管理装置１００は、ステップＳ１００４でＢｌｕｅｔｏｏｔｈオーディオ登録リストに接続を確立した携帯電話３００の情報を登録して、オーディオ機能の登録を完了する。また、携帯電話３００側は、ステップＳ２００６でオーディオ機能の登録動作を完了する。
【００３８】
このような従来の登録シーケンスによっては、携帯電話３００がオーディオ機能とハンズフリー通話機能とを備えているにも関わらず、一度の操作では携帯電話３００をＢｌｕｅｔｏｏｔｈオーディオ登録リストにしか登録できない。よって、使用者は、携帯電話３００をＢｌｕｅｔｏｏｔｈ携帯電話登録リストに登録するために、再度、情報端末管理装置１００と携帯電話３００の双方でハンズフリー通話機能用の登録メニューを呼び出して登録操作を行わなくてはならず、登録に手間がかかる。
【００３９】
また、近年重要度を増している車室内アプリケーションのテレマティクスにハンズフリー通話機能を使用するためには、あらかじめ携帯電話のキャリアを設定するなど、別途詳細な設定を行っておく必要がある。しかしながら従来の登録メニューを使用した登録シーケンスにおいては、テレマティクス用の設定を行うために、使用者は別途用意された設定用のメニューを呼び出して、設定操作を別操作として行わなければならなかった。
【００４０】
さらには、情報端末管理装置１００におけるステップＳ１００４および携帯電話３００におけるステップＳ２００６でＢｌｕｅｔｏｏｔｈオーディオ登録リストへの登録が完了した時点で、使用者は、携帯電話３００が備える全ての機能の登録が完了したと勘違いしてしまう可能性がある。このため使用者は、携帯電話３００でハンズフリー通話を行うためには、あらかじめＢｌｕｅｔｏｏｔｈ携帯電話登録リストに登録しておく必要があるにも関わらず、これを行わないためにハンズフリー通話機能を使用することができない可能性が生じる。
【００４１】
第２の実施の形態における情報端末管理装置１００では、このような問題点を解消するために、リスト登録部１０４ｂは、使用者がハンズフリー通話機能用の登録メニューを呼び出してＢｌｕｅｔｏｏｔｈ携帯電話登録リストに携帯電話３００を登録する場合、およびオーディオ機能用の登録メニューを呼び出してＢｌｕｅｔｏｏｔｈオーディオ登録リストに携帯電話３００を登録する場合のいずれの場合も、1回の操作で全ての端末登録リストへの登録を完了できるようにする。
【００４２】
具体的には、図７に示すような登録シーケンスにより登録を行う。ここで、図７（ａ）は、ハンズフリー通話機能用の登録メニューから端末登録リストへの登録を行う場合の登録シーケンスを示し、図７（ｂ）は、オーディオ機能用の登録メニューから端末登録リストへの登録を行う場合の登録シーケンスを示している。なお、図７においては、携帯電話３００側の登録シーケンスは、図６と同様のため説明を省略する。また、ここでは情報端末がオーディオ機能とハンズフリー通話機能とを行うことができる携帯電話３００である場合について説明するが、その他の複数の機能を備える情報端末の場合にも同様の処理となる。
【００４３】
まず、図７（ａ）に示すハンズフリー通話機能の登録シーケンスについて説明する。この登録シーケンスは、使用者によって入力スイッチ１０１が操作され、モニタ１０５上にハンズフリー通話機能用の登録メニューが呼び出された後、使用者によってハンズフリー通話機能の登録開始が指示されることによって開始する。
【００４４】
ステップＳ３００１で、リスト登録部１０４ｂは、使用者による指示に基づいて携帯電話３００が備えるハンズフリー通話機能の登録（Ｂｌｕｅｔｏｏｔｈ登録）を開始する。その後、ステップＳ３００２では、上述したように、携帯電話３００からのパスキー交換の要求に応じてパスキー交換を行う。リスト登録部１０４ｂは、このときに通信相手の情報端末の端末ＩＤを取得することができる。
【００４５】
ステップＳ３００３では、リスト登録部１０４ｂは、携帯電話のキャリアを選択するための画面をモニタ１０５に表示して、使用者に携帯電話のキャリアの選択を促す。その結果、使用者によって携帯電話のキャリアが選択されると、選択されたキャリアに応じたハンズフリー通話機能用の設定、例えばテレマティクス用の設定を行う。そして、ステップＳ３００４において、リスト登録部１０４ｂは、Ｂｌｕｅｔｏｏｔｈ携帯電話登録リストに、パスキー交換時に取得した端末ＩＤを登録し、ハンズフリー通話機能の登録を完了する。
【００４６】
その後、ステップＳ３００５において、リスト登録部１０４ｂは、Ｂｌｕｅｔｏｏｔｈ機能に含まれるＳＤＰ（サービスディスカバリープロトコル）を使用したサービスディスカバリーを実行して、携帯電話３００が既に登録を完了したハンズフリー通話機能以外の未登録機能を有していないかを検索する。その結果、携帯電話３００がオーディオ機能を有していることを検出すると、ステップＳ３００６でＢｌｕｅｔｏｏｔｈオーディオ登録リストへの携帯電話３００の登録を開始する。ステップＳ３００７では、パスキー交換時に取得した端末ＩＤをＢｌｕｅｔｏｏｔｈオーディオ登録リストへ登録して、全機能の登録を完了する。
【００４７】
次に、図７（ｂ）に示すオーディオ機能の登録シーケンスについて説明する。この登録シーケンスは、使用者によって入力スイッチ１０１が操作され、モニタ１０５上にオーディオ機能用の登録メニューが呼び出された後、使用者によってオーディオ機能の登録開始が指示されることによって開始する。なお、図７（ｂ）においては、上述した図７（ａ）と同一の処理については同じステップ番号を付与し、相違点を中心に説明する。
【００４８】
ステップＳ４００１で、リスト登録部１０４ｂは、Ｂｌｕｅｔｏｏｔｈオーディオ登録リストにパスキー交換時に取得した端末ＩＤを登録し、オーディオ機能の登録を完了する。その後、ステップＳ３００５において、リスト登録部１０４ｂは、サービスディスカバリーを実行して、携帯電話３００が備えるオーディオ機能以外の未登録機能を検索する。
【００４９】
その結果、携帯電話３００が未登録機能としてハンズフリー通話機能を有していることを検出すると、ステップＳ４００２で、リスト登録部１０４ｂは、携帯電話のキャリアを選択するための画面をモニタ１０５に表示して、使用者に携帯電話のキャリアの選択を促す。使用者によって携帯電話のキャリアが選択されると、リスト登録部１０４ｂは、選択されたキャリアに応じたテレマティクス用の設定などのハンズフリー通話機能用の設定を行う。そして、ステップＳ３００７において、パスキー交換時に取得した端末ＩＤをＢｌｕｅｔｏｏｔｈ携帯電話登録リストへ登録して、全機能の登録を完了する。
【００５０】
以上説明した処理によって情報端末の機能ごとに分類されて作成された端末登録リストは、第１の実施の形態と同様に制御装置１０４が有するメモリ内に記憶される。そして、使用者によって情報端末との無線通信を開始する指示があった場合には、通信制御部１０４ｃは、それぞれの機能別に分類した端末登録リスト（機能別端末登録リスト）をモニタ１０５に表示する。その後、使用者によって、いずれかの機能に対応した端末登録リストから情報端末が選択された場合には、その情報端末と無線通信を開始してデータを受信し、選択された機能に応じた処理を実行する。
【００５１】
以上説明した第２の実施の形態によれば、第１の実施の形態における作用効果に加えて、次のような効果を得ることができる。
（１）情報端末が備える機能ごとの登録メニューを用いて情報端末を端末登録リストへ登録する場合に、使用者によって登録が指示された機能についての登録が完了した後に、情報端末が備えるその他の機能についての登録も継続して行うようにした。これによって、使用者は１回の操作で情報端末が備える全ての機能に対応する端末登録リストへの登録を完了することができ、利便性が向上する。
【００５２】
（２）情報端末が備える未登録機能を、Ｂｌｕｅｔｏｏｔｈ機能に含まれるＳＤＰを使用したサービスディスカバリーを実行して自動的に検索するようにしたので、使用者が各情報端末が備える機能を全て把握していなくても、情報端末が備える全ての機能について、端末登録リストへの登録を漏れなく行うことができる。
【００５３】
（３）携帯電話３００をＢｌｕｅｔｏｏｔｈ携帯電話登録リストに登録する際に、必要なテレマティクス用設定も一連の操作の中で行えるようにした。これによって、使用者は端末登録リストへの登録操作とは別にテレマティクス用の設定操作を行う必要がなくなり、使用者の手間を低減することができる。
【００５４】
―変形例―
なお、上述した実施の形態の情報端末管理装置は、以下のように変形することもできる。
（１）上述した第１の実施の形態では、使用者によって情報端末の登録が指示された場合に、未登録の情報端末を検索して、端末登録リストへ登録する例について説明した。しかしこれに限定されず、情報端末管理装置１００の電源がオンされたときに自動的に通信可能範囲内に存在する未登録の情報端末の検出するようにしてよい。
【００５５】
（２）上述した第１の実施の形態では、図３に示す端末登録リストにおいて、複数の機能を備える情報端末、例えば携帯電話機能とオーディオ機能とを備える「父の携帯電話」は、Ｂｌｕｅｔｏｏｔｈ携帯電話登録リストではリスト番号１に登録され、Ｂｌｕｅｔｏｏｔｈオーディオ登録リストではリスト番号２に登録されているように、それぞれで異なる番号に登録される例について説明した。しかしこれに限定されず、複数の機能を備える情報端末は、それぞれの機能別の端末登録リストにおいて、同じリスト番号（識別番号）で登録されるようにしてもよい。これによって、１台の情報端末が複数の端末リストに登録されている場合に、同一の情報端末は同一のリスト番号で管理することができるようになり、リストの管理が容易になる。
【００５６】
（３）上述した第１のおよび第２実施の形態では、情報端末管理装置１００と、種々の情報端末、例えばポータブルオーディオ２００や携帯電話３００は、Ｂｌｕｅｔｏｏｔｈ通信により無線接続する例について説明したが、これに限定されず、その他の通信規格によって無線接続してもよく、あるいは有線で接続して通信を行うようにしてもよい。
【００５７】
（４）上述した第１の実施の形態では、リスト登録部１０４ｂは、取得した端末データに含まれる情報端末の機能情報に基づいて各情報端末が備える機能を判定する例について説明した。また、第２の実施の形態では、Ｂｌｕｅｔｏｏｔｈ機能に含まれるＳＤＰ（サービスディスカバリプロトコル）を使用して、通信相手の情報端末が備える機能を自動的に検索する例について説明した。しかしながら、第１の実施の形態において、リスト登録部１０４ｂはＳＤＰを使用して情報端末が備える機能を検索してもよい。また、第２の実施の形態において、リスト登録部１０４ｂは端末データを各情報端末から取得するようにし、取得した端末データに含まれる情報端末の機能情報に基づいて各情報端末が備える機能を判定してもよい。
【００５８】
なお、本発明の特徴的な機能を損なわない限り、本発明は、上述した実施の形態における構成に何ら限定されない。
【図面の簡単な説明】
【００６０】
【図１】情報端末管理装置の適用例を示す図である。
【図２】情報端末管理装置の一実施の形態の構成を示すブロック図である。
【図３】端末登録リストの具体例を示す図である。
【図４】第１の実施の形態における端末登録リストに情報端末を登録する場合の画面遷移を示す図である。
【図５】第１の実施の形態における情報端末管理装置１００の処理を示すフローチャート図である。
【図６】従来の登録メニューを使用した場合の登録シーケンスを示す図である。
【図７】第２の実施の形態における登録メニューを使用した場合の登録シーケンスを示す図である。
【符号の説明】
【００６１】
１００  情報端末管理装置
１０１  入力スイッチ
１０２  マイク
１０３  通信インターフェース
１０４  制御装置
１０４ａ  情報端末検出部
１０４ｂ  リスト登録部
１０４ｃ  通信制御部
１０５  モニタ
１０６  スピーカ
【図１】
0004793062.tif 000002
【図２】
0004793062.tif 000003
【図３】
0004793062.tif 000004
【図４】
0004793062.tif 000005
【図５】
0004793062.tif 000006
【図６】
0004793062.tif 000007
【図７】
0004793062.tif 000008